(57)【要約】【課題】底面シートを備えた袋体において、底面シートとサイドシールと接合部分からの破袋を抑制する。【解決手段】袋体は、正面側シート３２と背面側シート３３との間に、襠折り目線５２にて二つ折りにされた底面シート５１を備える。袋体は、左右サイドのサイドシール６１と、略斜め上方に伸びる左右のボトムシール７１を備える。ボトムシール７１の内側を規定するボトムライン７２は、正規縁部７４と、調整縁部７５とを備える。調整縁部７５は、正規縁部７４よりも勾配の角度が小さく、且つ、襠折り目線５２よりも下方に間隔を隔てた下方接続点７７にて、サイドシール６１と接続８１される。調整縁部７５の位置が特定されることにより、襠折り目線５２を挟んで、前後にポケット部８１が形成される。【選択図】図１
2015096436.tif 000002
【特許請求の範囲】
【請求項１】
袋の胴部シートとして正面側シートと背面側シートとを備えると共に、前記正面側シートと前記背面側シートとの間に配置された底面シートを有しており、
前記底面シートは、襠折り目線にて二つ折りにされることにより、前底部と後底部とに区分され、
サイドシールによって、前記正面側シートと前記前底部とがシールされると共に前記背面側シートと前記後底部とがシールされ、
前記サイドシールに向けて全体として略斜め上方に伸びるボトムシールによって、前記正面側シートと前記前底部とがシールされると共に前記背面側シートと前記後底部とがシールされた袋体において、
前記ボトムシールの内側を規定するボトムラインは、横方向にて、前記サイドシールから遠い領域にある正規縁部と、前記サイドシールに近い領域にある調整縁部とを備え、
前記正規縁部と前記調整縁部とは、前記サイドシールの内側を規定するサイドラインよりも袋体の内側に位置し、
前記調整縁部は、前記正規縁部よりも勾配の角度が小さく、且つ、前記襠折り目線よりも下方に間隔を隔てた下方接続点にて、前記サイドシールと接続され、
前記襠折り目線を挟んで、前後にポケット部が形成されるものであり、前記前後のポケット部は、前記正面側シートと前記前底部との間に前記サイドシールに沿って形成された隙間、及び、前記背面側シートと前記後底部との間に前記サイドシールに沿って形成された隙間であることを特徴とする底面付き袋体。
【請求項２】
前記正規縁部は、その延長線と前記サイドラインとの交点である上方仮想点が、前記襠折り目線と前記サイドシールとの交点である襠交点上もしくは前記襠交点よりも上方に位置するように、規定されていることを特徴とする請求項１に記載の底面付き袋体。
【請求項３】
袋の胴部シートとして正面側シートと背面側シートとを備えると共に、前記正面側シートと前記背面側シートとの間に配置された底面シートを有しており、
前記底面シートは、襠折り目線にて二つ折りにされることにより、前底部と後底部とに区分され、
サイドシールによって、前記正面側シートと前記前底部とがシールされると共に前記背面側シートと前記後底部とがシールされ、
前記サイドシールに向けて全体として略斜め上方に伸びるボトムシールによって、前記正面側シートと前記前底部とがシールされると共に前記背面側シートと前記後底部とがシールされた袋体において、
前記ボトムシールの内側を規定するボトムラインは、前記サイドシールの内側を規定するサイドラインの手前で終わる正規縁部を備え、
前記正規縁部の最上端が、横方向にて前記サイドラインよりも袋体の内側に位置し、縦方向にて前記襠折り目線よりも下方に位置し、
前記正規縁部は、その延長線と前記サイドラインとの交点である上方仮想点が、前記襠折り目線と前記サイドシールとの交点である襠交点上もしくは前記襠交点よりも上方に位置するように、規定されており、
前記襠折り目線を挟んで、前後にポケット部が形成されるものであり、前記前後のポケット部は、前記正面側シートと前記前底部との間に前記サイドシールに沿って形成された隙間、及び、前記背面側シートと前記後底部との間に前記サイドシールに沿って形成された隙間であることを特徴とする底面き袋体。
【請求項４】
前記ボトムラインは、前記正規縁部の最上端と前記サイドシールとの間に形成され調整縁部を備え、
前記調整縁部は、前記正規縁部よりも勾配の角度が小さいものであることを特徴とする請求項３記載の底面付き袋体。
【請求項５】
前記襠折り目線を水平線として、前記サイドラインに向かって、前記正規縁部は登り勾配であり、前記調整縁部は下り勾配であることを特徴とする請求項１、２及び４の何れかに記載の底面付き袋体。
【請求項６】
前記襠折り目線を水平線として、前記調整縁部は、前記水平線に対する勾配の角度が±２４度の範囲内であることを特徴とする請求項１、２、４及び５の何れかに記載の底面付き袋体。
【請求項７】
前記底面シートに位置する前記サイドシールは、前記正面側シートと前記背面側シートとの少なくとも２枚のシートをシールした前後接合部を備え、前記前後接合部の少なくとも一部が前記ポケット部と同じ高さに位置することを特徴とする請求項１〜６の何れかに記載の底面付き袋体。
【請求項８】
前記サイドシールは、前記底面シートよりも上方では前記正面側シートと前記背面側シートとを直接シールしていることを特徴とする請求項１〜７の何れかに記載の底面付き袋体。
【請求項９】
正面側シートと背面側シートとの何れか一方に開閉用のファスナを備え、
前記ファスナは、開閉可能な一方と他方のファスナ半部を備え、
前記両ファスナ半部は、互いに着脱可能に嵌合する雌雄嵌合部と、前記シートに対する固定部とを備え、
前記雌雄嵌合部と前記固定部とは、共に前記ファスナの長手方向に沿って形成されたものであり、
前記一方のファスナ半部は下方側の固定部を備え、前記他方のファスナ半部は前記下方側の固定部より上方に位置する上方側の固定部を備え、
両ファスナ半部は、前記袋体の分離されていない同一面シートに対して、それぞれの前記固定部によって固定されたものであり、
前記同一面シートにおける前記両ファスナ半部の前記両固定部の間に開封部が設けられ、前記開封部が開かれることで、前記袋体の開封がなされるものであり、
前記一方のファスナ半部は、正面に前記下方側の固定部を有する基部と、前記基部の背面に設けられた前記雌雄嵌合部とを備え、
前記他方のファスナ半部は、正面に前記上方側の固定部を有する基部と、前記基部の正面に設けられた前記雌雄嵌合部とを備え、
前記他方のファスナ半部の前記基部は、中間部を備え、
前記中間部は、前記他方のファスナ半部の前記雌雄嵌合部と前記上方側の固定部とが上下方向に距離を隔てて配置されることにより、前記雌雄嵌合部と前記固定部との間に設けられた部分であり、
前記両ファスナ半部は、前記一方のファスナ半部の前記背面と前記他方のファスナ半部の前記正面とが向き合うように、それぞれの前記固定部によって前記同一面シートに対して固定され、
上下方向において、前記中間部と同じ位置を含む部分に、前記開封部が配置され、
前記開封部を開くと共に前記両ファスナ半部の前記雌雄嵌合部同士の嵌合を開いて、前記袋体の開封がなされるようにしたことを特徴とする請求項１〜８の何れかに記載の底面付き袋体。
【発明の詳細な説明】
【技術分野】
【０００１】
本発明は、底面付き袋体、特に合成樹脂製の袋体であって、底面部のシール強度の向上を図るべく改良された袋体に関するものである。
【背景技術】
【０００２】
今日、スタンディングパウチなどの底面シートを備えた袋体、詳しくは、正面側シートと背面側シートと前記正面側と背面側との両シートの間に配置された底面シートとを備え、前記底面シートは、襠折り目線にて二つ折りにされることにより、前底部と後底部とに区分され、サイドシールによって、前記正面側シートと前記前底部とがシールされると共に前記背面側シートと前記後底部とがシールされた袋体が知られている。この種の袋体にあっては、前記サイドシールに向けて全体として略斜め上方に伸びるボトムシールによって、前記正面側シートと前記前底部とがシールされると共に前記背面側シートと前記後底部とがシールされることによって、収納物を収納した際の袋体の形状を整えるようにしている。
【０００３】
このボトムシールは、その内側を規定するボトムラインが、前記襠折り目線と前記サイドラインとの交点に到達するように、直線状や弧状に傾斜しているのが一般的である。
これに対して、特許文献１や２にあっては、ボトムラインを、前記襠折り目線と前記サイドラインとの交点よりも下方の位置に到達させている。特に、特許文献１では、底面シートがサイドシールに接合されている箇所から袋体が破れたり避けたりすることを防止することを目的として、サイドシールに袋体の内側から凹部を設け、この凹部に向けてボトムラインが伸びるように構成した破袋し難い袋体を提案している。
【０００４】
ところが、特許文献１では、襠折り目線と、正面側及び背面側の両シートの間への力の集中は緩和されるものの、凹部の上方側の角に力が集中してしまう結果、この凹部の上方側の角からの破袋が生じるとの新たな課題を生じてしまう。
しかも、特許文献１や２にあっては、ボトムラインは、サイドシールもしくはその延長線よりも内側の領域では、特定の比較的急峻な勾配で直線状や弧状に傾斜しているに止まる。そのため、正面側シート及び背面側シートと、底面シートとの間で、上下の位置関係が設計値よりもずれた場合には、ボトムラインが比較的急峻な勾配のボトムシールが、サイドシールに接続されることになってしまう。その結果、袋体の耐破袋性能にばらつきが生じ易いという課題を有する。
【先行技術文献】
【特許文献】
【０００５】
【特許文献１】特開平１１−２２７７９０号公報
【特許文献２】特開２００３−１２８０８２号公報
【発明の概要】
【発明が解決しようとする課題】
【０００６】
本発明は、底面シートを備えた袋体にあって、底面シートとサイドシールと接合部分からの破袋を抑制した袋体の提供を課題とする。
また、本発明は、袋体の耐破袋性能のばらつきを抑制した袋体の提供を課題とする。
【課題を解決するための手段】
【０００７】
本発明は、袋の胴部シートとして正面側シートと背面側シートとを備えると共に、前記正面側シートと前記背面側シートとの間に配置された底面シートを有しており、前記底面シートは、襠折り目線にて二つ折りにされることにより、前底部と後底部とに区分され、サイドシールによって、前記正面側シートと前記前底部とがシールされると共に前記背面側シートと前記後底部とがシールされ、前記サイドシールに向けて全体として略斜め上方に伸びるボトムシールによって、前記正面側シートと前記前底部とがシールされると共に前記背面側シートと前記後底部とがシールされた袋体の改良に関する。
【０００８】
本発明の袋体にあっては、前記ボトムシールの内側を規定するボトムラインは、横方向にて、前記サイドシールから遠い領域にある正規縁部と、前記サイドシールに近い領域にある調整縁部とを備える。前記正規縁部と前記調整縁部とは、前記サイドシールの内側を規定するサイドラインよりも袋体の内側に位置するものである。前記調整縁部は、前記正規縁部よりも勾配の角度が小さく、且つ、前記襠折り目線よりも下方に間隔を隔てた下方接続点にて、前記サイドシールと接続される。これにより、前記襠折り目線を挟んで、前後にポケット部が形成される。前記前後のポケット部は、前記正面側シートと前記前底部との間に前記サイドシールに沿って形成された隙間、及び、前記背面側シートと前記後底部との間に前記サイドシールに沿って形成された隙間であることを特徴とする。
【０００９】
本発明にあっては、前記ポケット部が、前記襠折り目線の下方であって前記サイドシールの内側の領域に形成される。このポケット部は、収納物が袋体内に入れられて前記底面シートが開かれた状態（即ち、前記底面シートが前記襠折り目線から開かれて展開されると共に前記底面シートが前記ボトムラインから折り曲がった状態）となっても、その開きは前記正規折り目線による折り癖がつくため、前記調整縁部から折り曲がらずに、それより上方の前記正規縁部の延長線に沿って又はこの延長線の少し下方で折り曲がることにより、形成される。その結果、このポケット部では、前記底面シートが開かれ状態となっても、前記前記正面側シートと前記前底部とが接触した状態もしくは接触状態に近い状態に維持される。同様に、前記背面側シートと前記後底部との間においても、接触した状態もしくは接触状態に近い状態に維持される。
【００１０】
この状態で、前記袋体が落下するなどして、底面シートに対してより急激な力が瞬間的に加わると、このポケット部も少し開かれるが、その際の瞬間的な力は、ポケット部が開かれることによって緩和される。さらに、この緩和された力はポケット部全体（特に、前記サイドシールや前記調整縁部などのポケット部の周囲のシール部分）に分散する。その結果、従来の一般的なスタンディングパウチなどの襠交点からの破袋（詳しくは、落下による瞬間的な大きな力が、前記襠折り目線とサイドラインとの交点である襠交点に集中して加わることによって、この襠交点付近からの裂け目や破れが生じることによる破袋）の発生が抑制される。
【００１１】
上記の本発明では、前記前後のポケット部の底辺と側辺とが、前記調整縁部及び前記サイドシールにより規定されることになるが、ポケット部の底辺である前記調整縁部は前記正規縁部よりも緩やかな勾配を有するため、前記底面シートに対して大きな力が加わった場合でも、力の集中を効果的に緩和し、破袋を抑制することができる。
【００１２】
しかも、前記正面側シート及び前記背面側シートに対する前底面シートの上下位置がずれた場合にあっても、前記正規縁部は勿論のこと、前記調整縁部も前記サイドシールの内側を規定するサイドラインよりも袋体の内側に位置しているため、上記の破袋の抑制効果を維持することができる。
前記正規縁部は、その延長線と前記サイドラインとの交点である上方仮想点が、前記襠折り目線と前記サイドシールとの交点である襠交点上もしくは前記襠交点よりも上方に位置するように、規定されていることが望ましい。
【００１３】
また、本発明にあっては、上記の調整縁部を設けずとも、或いは、調整縁部が前記正規縁部又はサイドシールに直接繋がっておらず途中で途切れているものや破線状になったとしても、先に説明した場合と同様に破袋の発生抑制作用を果たし得る。但し、この袋体にあっては、前記ボトムシールの内側を規定するボトムラインの正規縁部が、前記サイドシールの内側を規定するサイドラインの手前で終わる必要がある。この場合、前記正規縁部の最上端は、横方向にて前記サイドラインよりも袋体の内側に位置し、縦方向にて前記襠折り目線よりも下方に位置するものとする。そして、前記正規縁部は、その延長線と前記サイドラインとの交点である上方仮想点が、前記襠折り目線と前記サイドシールとの交点である襠交点上もしくは前記襠交点よりも上方に位置するように、規定される。これにより、前記襠折り目線を挟んで、前後にポケット部が形成される。前記前後のポケット部は、前記正面側シートと前記前底部との間に前記サイドシールに沿って形成された隙間、及び、前記背面側シートと前記後底部との間に前記サイドシールに沿って形成された隙間である。そしてこのポケット部は瞬間的な力が瞬時に特定のシール部分に集中的に加わることを抑制し、破袋防止の作用を発揮することができる。
【００１４】
この前後のポケット部の左右何れか一方の側辺は、前記サイドラインによって規定され、他方の側辺は、前記底面シートが開く際にできる前記正規縁部の延長線に沿って出来るか、或いは、延長線の少し下方に出来る折り目により規定されることになる。勿論、この袋体にあっても、前記ボトムラインは、前記正規縁部の最上端と前記サイドシールとの間に形成され調整縁部を備えたものとして実施することができる。この場合も、先の場合と同様、調整縁部は、前記正規縁部よりも勾配の角度が小さいものであることが望ましい。
【００１５】
本発明において、前記の調整縁部の形態は種々変更して実施することができるが、前記襠折り目線を水平線として、前記サイドラインに向かって、前記正規縁部は登り勾配であり、前記調整縁部は下り勾配とすることによって、底面シートの前後位置のずれに対応できる幅が大きくすることができるため、有利である。
【００１６】
また、前記襠折り目線を水平線として、前記調整縁部の、前記水平線に対する勾配の角度は、前記正規縁部の関係などを考慮して種々変更して実施することができるが、±２４度の範囲内に設定することが急峻なサイドシールとの接続を避ける点から好ましい。
また、前記底面シートに位置する前記サイドシールは、前記正面側シートと前記背面側シートとの少なくとも２枚のシートをシールした前後接合部を備え、前記前後接合部の少なくとも一部が前記ポケット部と同じ高さに位置することも、破袋を防止する観点から望ましい。
【００１７】
この前後接続部は、前記正面側シートと前記背面側シートと前記底面シートの前記前底部及び前記後底部との４枚のシートをシールするものであってもよいが、前記正面側シートと前記背面側シートとの２枚のシートのみをシールするものであってもよい。この場合、前記底面シートに位置する前記サイドシールは、前記前底部と前記後底部とを切除することで、前記正面側シートと前記背面側シートとの２枚のシートをシールすることができる。
【００１８】
なお、前記サイドシールは、前記底面シートよりも上方では前記正面側シートと前記背面側シートとを直接シールしているものとして実施することができる。
さらに、本発明は、前記正面側シートと前記背面側シートなどの胴部シートの構成については種々変更し得るものである。例えば、開口部の形状については特に限定はなく、前記正面側シートと前記背面側シートと双方に開閉用のファスナを備えものに適用することができる他、一方にのみ開閉用のファスナを備えものにも適用できるし、ファスナを設けない袋体にも適用することができる。
【００１９】
一方にのみ開閉用のファスナを備えた袋体の例としては、次のものを挙げることができる。即ち、胴部シートと、前記シートに設けられた開閉用のファスナとを備えた袋体であって、前記ファスナは、開閉可能な一方と他方のファスナ半部を備え、前記両ファスナ半部は、互いに着脱可能に嵌合する雌雄嵌合部と、前記シートに対する固定部とを備え、前記雌雄嵌合部と前記固定部とは、共に前記ファスナの長手方向に沿って形成されたものであり、前記両ファスナ半部のそれぞれは、前記袋体の分離されていない同一面シートに対して、前記固定部によって固定されたものであり、前記同一面シートにおける前記両ファスナ半部の間に開封部が設けられ、前記開封部が切り開かれることで、前記袋体の開封がなされるようにしたファスナ付き袋体にも適用することができる。
【００２０】
このファスナ付き袋体にあっては、前記一方のファスナ半部は、正面に前記下方側の固定部を有する基部と、前記基部の背面に設けられた前記雌雄嵌合部とを備える。また、前記他方のファスナ半部は、正面に前記上方側の固定部を有する基部と、前記基部の正面に設けられた前記雌雄嵌合部とを備える。この他方のファスナ半部の前記基部は、中間部を備えるものであり、この中間部は、前記他方のファスナ半部の前記雌雄嵌合部と前記上方側の固定部とが上下方向に距離を隔てて配置されることにより、前記雌雄嵌合部と前記固定部との間に設けられた部分である。
【００２１】
前記両ファスナ半部は、前記一方のファスナ半部の前記背面と前記他方のファスナ半部の前記正面とが向き合うように、それぞれの前記固定部によって前記同一面シートに対して固定されている。そして、上下方向において、前記中間部と同じ位置を含む部分に、前記開封部が配置され、前記開封部を開くと共に前記両ファスナ半部の前記雌雄嵌合部同士の嵌合を開いて、前記袋体の開封がなされるものである。
【００２２】
前記開封部は、前記同一面シートの一部を予め切断することによって、少なくとも指先が挿入できる範囲が開封されている開封済み部を備えたものとすることができる。
【００２３】
この開封済み部は、前記ファスナの長手方向に０．７〜４ｃｍの長さの切り目部分と、前記ファスナの長手方向に４ｃｍを超える長さのカットラインと、前記ファスナの長手方向と幅方向とに開口した面積を備えた開口部分との少なくとも１種であるものとして実施することができる。
【００２４】
前記開封済み部の少なくとも一部は、前記一方のファスナ半部の前記下方側の固定部の間近の位置に配置されることが、前記開封済み部から使用者の指先を挿入し易くして、初期の開封動作を迅速に行うようする点から望ましい。
【００２５】
具体的には、前記他方のファスナ半部の前記上方側の固定部を、前記袋体の正面側から背面側へ押さえた状態で、前記袋体の背面側から、前記雌雄嵌合部付近の位置を前記袋体の正面側に押し出すことで、前記一方のファスナ半部の前記下方側の基部を正面の方に開いて、前記開封済み部の開きを大きくすることで、使用者の指先を挿入し易くすることができる。
【００２６】
前記間近の位置は、特には限定されないが、前記切り目部分の少なくとも一部と前記下方側の固定部との上下方向の距離が０〜５ｍｍ、より好ましくは０〜２ｍｍの位置とすることが適当である。また、前記切り目部分の少なくとも一部と前記上方側の固定部との上下方向の距離も小さい方が好ましいが、前記切り目部分は、前記上方側の固定部よりも、前記下方側の固定部に近い位置に、設けることが望ましい。なお、上方側の固定部と下方側の固定部との間隔は、６ｍｍ以下とすることが望ましい。
【００２７】
また、前記開封部は、前記同一面シートの一部を開封時に切断することによって、少なくとも指先が挿入できる範囲が開封状態となる未開封部を備えたものとしても実施することができる。この未開封部は、前記同一面シートに形成されたミシン目又はハーフカットラインとすることができる。また、前記同一面シートを、方向性を有する延伸フィルムを備えたものとして、前記同一面シートのストレートカット性を示す易カット方向が前記ファスナの長手方向に沿った方向となるように、前記同一面シートが配置されることによって、前記未開封部を形成することもできる。
【００２８】
また、前記開封部は、前記同一面シートの一部を予め切断することによって、少なくとも指先が挿入できる範囲が開封されている開封済み部と、前記同一面シートの一部を開封時に切断することによって、少なくとも指先が挿入できる範囲が開封状態となる未開封部との両者を備えたものとして実施することもできる。そして、両者を連続して形成することによって、まず、開封済み部に指先を挿入し、開封済み部を大きく開くことで、これに連続する未開封部を容易に開くことができる。
【００２９】
また、前記同一面シートの表面側に、前記開封部の少なくとも一部を閉じる開封シールを設けることもできる。この開封シールによって、開封部、特に開封済み部を塞ぐことにより、袋体の密閉性を向上させたり、いたずら防止の機能を発揮させたりすることができる。
【００３０】
袋の密閉性を高めて、不用意にファスナ半部同士の嵌合が解除されないようにするには、前記他方のファスナ半部が仮接着部を備えたものとする。この仮接着部は、前記固定部と前記同一面シートとの接着よりも弱い接着部とすることで、密閉性と開封とを両立させることができる。
【００３１】
また、前記開封部が、未開封部又は開封済み部を備えたものとし、前記同一面シートを押し込むことで開くようにすることもできる。その場合、指を前記未開封部又は前記開封済み部から前記同一面シート内に差し込み、引き裂くことで、前記開封がなされるようにしてもよい。このように、指を同一面シートへ押し込んで開く動作に対応して、前記他方のファスナ半部の前記基部は、前記中間部よりも正面側に突出する凸部を備え、前記凸部の正面が前記上方側の固定部とすることも適切である。これによって、前記中間部が前記雌雄嵌合部と前記固定部との双方よりも背面側に凹んだ凹部となる。押し込みによる初期開封動作を行う場合には、この凹部が押し込み空間として、機能する。即ち、本発明は、前記両ファスナ半部のそれぞれは、前記袋体の分離されていない同一面シートに対して、前記固定部によって固定されることにより、前記同一面シートと前記中間部との間に押し込み空間が形成される。そして、前記中間部の正面側における前記同一面シートに、前記ファスナの長手方向に沿って伸びる開封部が形成され、前記同一面シートを、前記開封部の少なくとも一部から前記押し込み空間内に押し込んで前記開封部の開封がなされるものをも提供するものである。
【００３２】
従って、本発明での初期の開封動作は、前記同一面シートに予め形成された切り目部分などの開封済み部で行うものとして実施することもでき、前記同一面シートを押し込むことで開かれる前記未開封部で行うものとして実施することもできる。
【００３３】
なお、前記同一面シートは、袋体の一つの面をなすものとして実施すればよく、前記同一面シート自体か複数のシートを接合して構成されたものであってもよいが、接合されていない単一のシートとして実施することもできる。
【発明の効果】
【００３４】
本発明にあっては、底面シートを備えた袋体において、底面シートとサイドシールと接合部分からの破袋を抑制することができる。
また、本発明は、袋体の耐破袋性能のばらつきを抑制した袋体を提供することができたものである。
【図面の簡単な説明】
【００３５】
【図１】本発明の第１の実施の形態を示すもので、（Ａ）は袋体の正面図、（Ｂ）は同袋体の開封状態の要部拡大断面図、（Ｃ）は同袋体の未開封部の位置での要部拡大断面図、（Ｄ）は同袋体の開封済み部の位置での要部拡大断面図である。
【図２】（Ａ）は本発明に係るファスナの変更例を示す要部拡大断面図であり、（Ｂ）は本発明に係るファスナの他の変更例を示す要部拡大断面図、（Ｃ）は本発明に係るファスナのさらに他の変更例を示す要部拡大断面図である。
【図３】（Ａ）は本発明の第２の実施の形態に係る袋体の正面図、（Ｂ）〜（Ｆ）はそれぞれさらに他の変更例に係る袋体の正面図である。
【図４】本発明の第１の実施の形態に係る袋体を製造するための連続シートの正面図である。
【図５】初期開封動作の一例を示す実施例であり、（Ａ）は開封前の要部断面図、（Ｂ）は初期開封動作中の要部断面図、（Ｃ）は初期開封完了時の要部断面図、（Ｄ）は同正面から見た開封部と固定部との位置関係を示す説明図、（Ｅ）〜（Ｇ）はそれぞれ開封部と固定部との他の位置関係を示す説明図である。
【図６】（Ａ）〜（Ｅ）は、それぞれ開封部の形態を示す説明図である。
【図７】（Ａ）〜（Ｄ）は、それぞれ開封部における未開封部と開封済み部との組み合わせパターンの説明図である。
【図８】（Ａ）〜（Ｃ）は、それぞれ開封部における未開封部と開封済み部との組み合わせパターンの説明図である。
【図９】（Ａ）〜（Ｇ）は、それぞれ開封部における未開封部又は開封済み部の形態の説明図である。
【図１０】（Ａ）〜（Ｄ）は、それぞれ開封部における未開封部又は開封済み部の形態の説明図である。
【図１１】（Ａ）〜（Ｄ）は、それぞれ開封部における未開封部又は開封済み部の形態の説明図であり、（Ｅ）は開封部にシールを設けた形態の説明図である。
【図１２】（Ａ）〜（Ｃ）は、それぞれ仮接合部を設ける位置を示す説明図である。
【図１３】（Ａ）は本発明の実施の形態に係る袋体の底部の要部正面図、（Ｂ）（Ｃ）はそれぞれ底部のシート構成を示す断面図である。
【図１４】（Ａ）は同袋体の底部の要部拡大正面図であり、（Ｂ）は同袋体の内部構造の説明図である。
【図１５】（Ａ）〜（Ｅ）はそれぞれ袋体における襠折り目線とボトムラインとの位置関係を示す要部正面図である。
【図１６】（Ａ）及び（Ｂ）は、それぞれ他の実施の形態に係る袋体の底部の要部正面図である。
【図１７】（Ａ）及び（Ｂ）は、それぞれ他の実施の形態に係る袋体の底部の要部正面図である。
【図１８】実施例及び比較例の要部正面図であり、（Ａ）は実施例１、（Ｂ）は実施例２、（Ｃ）は比較例１、（Ｄ）は比較例２、（Ｅ）は比較例３に係る要部正面図である。
【発明を実施するための形態】
【００３６】
（概要）
図１は、本発明の実施の形態に係る袋体３１を示すものであり、この袋体３１は、２枚の胴部シート（正面側シート３２と背面側シート３３）の周囲を熱溶着などで接着した袋体である。
【００３７】
正面側シート３２と背面側シート３３とは、一層又は複数層のフィルムを備えた合成樹脂製を主体とするシートを好適に用いることができ、必要に応じて金属層や紙層を含む複合素材製のシートであってもよい。
正面側シート３２と背面側シート３３とは、サイドシール６１を左右両辺に備え、これによって両辺が接合されているが、袋体３１の形状は種々変更して実施することができる。例えば、左右に襠部を有するものであってもよく、さらに、一部が剛性の高い成形品で構成されたものであってもよい。正面側シート３２は背面側シート３３とは、別体のシート体から構成してもよく、或いは、１枚のシートを左右２辺で折り曲げて中央でシールする背貼り型のものであってもよい。
【００３８】
胴部シート（正面側シート３２と背面側シート３３）の底部には、底面シート５１が配置されている。この底面シート５１は、上側に配置された襠折り目線５２によって二つ折りにされたシートであって、全体が直線状又は弧状に傾斜するボトムシール７１が施されている。本発明の最も重要なポイントは、底面シート５１と胴部シート（正面側シート３２と背面側シート３３）との接合構造にあるが、まずは、底面シート５１を除く袋体の具体的な構造の例について図１〜図１２を参照して説明し、その次に図１３以降を参照して底面シート５１に関する説明を行う。
【００３９】
（ファスナ１０について）
この実施の形態に係る袋体３１にあっては、その一つの面を構成する同一面シートのうち、正面側シート３２と背面側シート３３との少なくとも何れか一方（この例では正面側シート３２）には、開封部３４が形成されている。この開封部３４を挟んで、上下両側に、第１ファスナ半部１１の固定部１４と、第２ファスナ半部２１の固定部２４とが、それぞれ熱溶着などで正面側シート３２に接着されている。この第１ファスナ半部１１と第２ファスナ半部２１とは、雌雄嵌合部１３と雌雄嵌合部２３とが着脱可能に嵌合して、開閉可能なファスナ１０を構成する。
【００４０】
以下、ファスナ１０を構成する第１ファスナ半部１１、第２ファスナ半部２１の長手方向を横方向（又は横方向）といい、第１ファスナ半部１１、第２ファスナ半部２１の幅方向を上下方向（又は縦方向）というが、これらは相対的な位置関係を示すに止まり、絶対的な位置を特定するものではない。
【００４１】
（第２ファスナ半部２１について）
まず、第２ファスナ半部２１から説明する。第２ファスナ半部２１は、通常の合成樹脂製のファスナに用いられるものと同様のもので、基部２２と、基部２２の背面側に設けられた雌雄嵌合部２３とを備える。雌雄嵌合部２３の正面側の全面あるいは幅方向の一部が固定部２４を構成し、固定部２４と正面側シート３２の背面側とが熱溶着などの接着によって固定されている。
この例では、第２ファスナ半部２１は開封部３４の下方に配置されているが、上方に配置することもできる。
【００４２】
（第１ファスナ半部１１について）
次に、第１ファスナ半部１１は、第２ファスナ半部２１と嵌合する合成樹脂製のファスナ半部であり、基部１２と、基部１２の正面側に設けられた雌雄嵌合部１３とを備える。この雌雄嵌合部１３は、第２ファスナ半部２１の雌雄嵌合部２３と着脱可能に嵌合するものであり、第２ファスナ半部２１の雌雄嵌合部２３と上下方向において略同一位置に設けられたものであり、開封部３４の下方に配置されている。なお、第２ファスナ半部２１が開封部３４の上方に配置された場合には、第１ファスナ半部１１の雌雄嵌合部１３も上方に配置される。図１の例では、第２ファスナ半部２１の雌雄嵌合部２３が突条の雄嵌合部、第１ファスナ半部１１の雌雄嵌合部１３が雌嵌合部として実施されているが、図２（Ａ）に示すように、雌雄は逆にして実施することもでき、複数条の突条と凹溝とが互い嵌合する形状など、ファスナの雌雄嵌合部は種々変更して実施することができる。またいわゆるダブルチャックと呼ばれるように、複数の雌雄嵌合部同士を嵌合させるようにしてもよい。
【００４３】
第１ファスナ半部１１の基部１２は、上下方向において、開封部３４の上下に渡って形成されており、開封部３４の上方に固定部２４が形成されている。第１ファスナ半部１１の固定部１４は、正面側に突出した凸部１５の正面側の先端面に形成されており、正面側シート３２の背面側に熱溶着などの接着によって固定されている。この例では、第１ファスナ半部１１の雌雄嵌合部１３と第２ファスナ半部２１の雌雄嵌合部２３とが嵌合した状態で、第１ファスナ半部１１の固定部１４と第２ファスナ半部２１の固定部２４とが略同一高さとなるように、凸部１５が正面側に突出している。これによって、後述するように、開封動作を極めて円滑に行うことができると共に、正面側シート３２に対する熱溶着も確実に行うことができるものである。
【００４４】
第１ファスナ半部１１の基部１２は、雌雄嵌合部１３と固定部１４との間に中間部１６を備える。この中間部１６は、雌雄嵌合部１３及び固定部１４（凸部１５）に比して、背面側に凹んだ凹部となっている。これにより、中間部１６と正面側シート３２との間には、雌雄嵌合部１３と固定部１４（凸部１５）との間に、押し込み空間３９が形成されることになる。この中間部１６並びに押し込み空間３９に対応する位置であって、それらの正面側に位置する正面側シート３２に、開封部３４が形成されている。
【００４５】
（開封部３４について）
開封部３４は、正面側シート３２に形成されたもので、上下方向において、第１ファスナ半部１１の固定部１４と、第２ファスナ半部２１の固定部２４との間に挟まれた位置に形成されている。開封部３４は、横方向に伸びる未開封部３５と、その適宜位置（この例では中央）に形成された開封済み部３６とを備える。この例では、未開封部３５は正面側シート３２に形成されたミシン目であり、開封済み部３６は正面側シート３２に形成された切り目部分である。この切り目部分は、指先が入る程度の大きさで、7mm以上、好ましくは10〜40mm程度の左右長さを有するものとして実施することが適当である。切り目部分は、線状にカットされていればよく、その上下方向の幅は0mmで足りるが、数mm〜10mm程度の上下幅として実施することもできる。
【００４６】
（開封動作について）
開封に際しては、まず、開封済み部３６から指ｆを押し込み空間３９内に差し込む。この例では、開封済み部３６は、予めカットされた切り目部分であり、また中間部１６が前述のように凹部となっているため、無理なく指ｆを背面側に押し込むことができる。そして、差し込んだ指ｆを左右に動かすことで、ミシン目の未開封部３５を容易に破っていくことができる。勿論、開封済み部３６に差し込んだ指で正面側シート３２を摘むなどして、上下方向に引っ張る要領で未開封部３５を破るようにしてもよい。いずれにしても、開封済み部３６を押し込み空間３９に押し込むことで、開封済み部３６からの開封を極めて容易に行うことができる。
【００４７】
（製造方法について）
この袋体３１の製造は、極めて容易になすことができる。従来、この種のファスナ１０は、ウエブ状に連続して送られる正面側シート３２に対して、第１ファスナ半部１１と第２ファスナ半部２１とを嵌合させた状態で、第１ファスナ半部１１の固定部１４及び第２ファスナ半部２１の固定部２４が、熱溶着などで接着固定される。本発明の実施の形態では、この接着固定に先立って、正面側シート３２に開封部３４（未開封部３５及び開封済み部３６）を押し切り装置などで形成するだけで足りる。このように、予め形成された開封部３４の上下両側に第１ファスナ半部１１の固定部１４と第２ファスナ半部２１の固定部２４とが位置するように、位置合わせして接着を行うだけで足りるため、製造工程の数を多大にすることもなく、低コストで、製造することができる。
【００４８】
（他の実施の形態）
図３（Ａ）に、他の実施の形態を示す。先の実施の形態にあっては、開封部３４の未開封部３５をミシン目としたものであったが、この例では、未開封部３５をシートの性質を利用したストレートカット性のあるものとしている点が相違するものであり、他の点については、先の実施の形態に関する説明を適用できる。
【００４９】
この実施の形態では、袋体３１を構成するシートのうち、少なくとも正面側シート３２が方向性を有する延伸フィルムを備えるものである。この種のシートにあっては、延伸の縦方向である１方向にストレートカット性を示すものであり、このストレートカット性を示す易カット方向４０が前記ファスナの長手方向に沿った方向（袋体の横方向）となるように、正面側シート３２が配置されることによって、未開封部３５が形成されたものである。従って、先の例と異なり、この実施の形態では、未開封部３５は正面側シート３２の他の部分とは区別できない構成となっているが、切り目部分などによって開封済み部３６を形成し、前述の要領で開封済み部３６から指ｆを押し込み空間３９に差し込み、差し込んだ指ｆを左右に動かすことで、ストレートカット性を示す易カット方向４０に未開封部３５を容易に破っていくことができる。
【００５０】
図示は省略するが、この未開封部３５は、正面側シート３２の表面から厚み方向の途中までに形成された凹溝であるハーフカットであってもよい。また、正面側シート３２が複数枚のフィルムを積層したシートである場合には、その表面又は内部のフィルムを予め切断したり、同フィルムにミシン目を形成したりした弱め線を備えたシートとして実施し、その弱め線によって未開封部３５を形成するようにすることもできる。
このように、未開封部３５は、ファスナ１０の長手方向に沿う方向に、容易に切り裂くことができる種々の手段に変更して実施することができる。
【００５１】
（開封部３４の変更例）
図３（Ｂ）に、開封部３４の変更例を示す。先の２つの実施の形態にあっては、切り目部分による開封済み部３６を設けたが、この例では、開封済み部３６を設けないようにしたものであり、他の点については、先の何れの実施の形態に関する説明を適用できる。この図３（Ｂ）の例では、未開封部３５についてミシン目としているが、このミシン目よりも小さな力で開封できる最弱開封部分３７を開封済み部３６の代わりに設けたものである。
【００５２】
最弱開封部３７は、未開封部３５のミシン目よりも小さな力で開封できるように、ミシン目の数を密にしたり、幅を大きくしたりしするなどして実施する。
このように、未開封部３５と、開封済み部３６又は最弱開封部３７とを、ファスナ１０の長手方向に連続して設けることで、開封の容易性と正面側シート３２の無用な開封を防止する点で好ましい。但し、指ｆで破ることができることを条件に、開封済み部３６や最弱開封部３７を設けずに、未開封部３５のみで構成する（例えば、全体を均一なミシン目で構成する）ことも可能である（図３（Ｃ）参照）。その場合には、開封部３４の何れの箇所からも開封することができるが、使用者が迷わないように、矢印などで開封位置を示しておくこともできる。このような開封位置の表示は、他の例にあっても設けておくことが望ましい。
【００５３】
図３（Ｄ）は、最弱開封部３７についてミシン目を採用し、未開封部３５についてストレートカット性を示す易カット方向４０をファスナ１０の長手方向とした第２の実施の形態の例を採用したものである。図３（Ｅ）は、開封済み部３６（又は最弱開封部３７）について、袋体３１の中央ではなく、正面側シート３２の左右の一端に配置した例であり、図３（Ｆ）は、開封済み部３６を複数箇所（左右両端）に配置した例である。
このように、開封部３４の構成については、その構造や数や大きさなど種々変更して実施することができ、種々の組み合わせで実施することができる。
【００５４】
（第１ファスナ半部１１の変更例）
第１ファスナ半部１１の凸部１５については、前述したように、嵌合状態の雌雄嵌合部１３と雌雄嵌合部２３との厚みに略等しい高さに、突出させて、その先端の固定部１４と、第２ファスナ半部２１の固定部２４とが略同じ高さとなるようにすることが最も望ましいが、図２（Ｂ）に示すように、両者の高さに若干の相違を設けて実施することもできる。図２（Ｂ）の例では、凸部１５の高さを、嵌合状態の雌雄嵌合部１３と雌雄嵌合部２３との厚みの約２分の１としているが、３分の１以上程度でもよい。また、凸部１５を全く設けずに固定部１４と中間部１６とを同じ高さとして実施することも不可能ではないが、開封部３４の押し込みを良好になす観点や、正面側シート３２に対する熱溶着などの接着を良好になす観点からは、凸部１５を設けて実施することが望ましい。
【００５５】
（図２（Ｃ）について）
また、前述までの実施の形態では、両ファスナ半部１１、２１の基部１２、２２の図示下端の下方への長さを略同じ長さとしていたが、両者の長さを異なるようにしてもよい。特に、図２（Ｃ）に示すように、第１ファスナ半部１１の基部１２を、第２ファスナ半部２１の基部２２よりも下方に長く伸ばすことも好ましい。このように、ファスナ１０の幅方向（図２の上下方向）において、第１ファスナ半部１１の基部１２の端部に延長部１７を設けて、この延長部１７を、第２ファスナ半部２１の基部２２よりも幅方向に突出するようにしておく。これによって、両ファスナ半部１１、２１の基部１２、２２を、固定部１４、１２において正面側シート３２に熱溶着する際に、延長部１７も正面側シート３２に対して、軽く熱溶着され、仮接合部１８が形成される。なお、図では、仮接合部１８の厚みが大きく描かれているが、実際は正面側シート３２や延長部１７等が厚み方向に自然と曲がるため、仮接合部１８が厚み自体は、他の固定部１４、２４と同じでよい。但し、延長部１７の厚みを他の固定部１４、２４と異なるように（例えば厚みを厚くして仮接合が確実に行なわれるように、もしくは、厚みを薄くして仮接合の強度を調整するように）してもよい。
【００５６】
このように、延長部１７による仮接合部１８を設けることで、被収納物を収納した袋体３１が保管中や移送中に、雌雄嵌合部１３、２３が外れることがあっても、仮接合部１８によって袋体３１の内外の連通が阻止され得る可能性が高くなる。
【００５７】
他方、開封に際しては、開封部３４から開封され、雌雄嵌合部１３、２３が外される際に、第１ファスナ半部１１の基部１２及びその延長部１７と、正面側シート３２とが、離反するように図示左右に強く引っ張られるため、この延長部１７の仮接合部１８が外れて、袋体３１の内外を連通させることができる。
【００５８】
従って、この延長部１７の仮接合部１８は、不用意には外れないが、意図的な開封時には外れるように、適当な面積とすることが望ましい。具体的には、延長部１７は３〜１０mm程度の幅方向（図の上下方向）の長さがあれよいが、この数値に本発明を限定して理解されるべきではない。
【００５９】
また、材質を工夫して、正面側シート３２に対する接着強さを、固定部１４、２４を強く、延長部１７を弱く接着されるようにしてもよい。例えば、延長部１７を含む両ファスナ半部１１、１２全体をポリプロピレンなどの溶着温度の高い素材で形成し、両固定部１４、２４の正面側の面に、ポリエチレン等の溶着温度の低い素材のフィルムを積層するなどして配置する。そして、正面側シート３２の少なくとも背面側を熱溶着温度の低い素材で構成し、ポリエチレンの溶着温度であってポリプロピレンの溶着温度未満の温度で加熱圧着することで、弱く接着した状態としてもよい。
【００６０】
（図４について）
本発明に係る袋体３１を工業的に量産する場合、袋の連続製造の常法に従い、図４に示す連続シート５１の形態を採るものを製造して、この連続シート５１に対して収納物を収納しながら又は収納せずに各袋体３１を製造することができる。この連続シート５１は、袋体３１を構成できる正面側シート３２（又は必要に応じて正面側シート３２の背面に背面側シートを配置して左右のサイドシールを施し筒状となった２枚のシート体でもよい）を、複数枚分長手方向（図４の上下方向）に連続して配置したものである。この例では、図１の袋体３１を連続生産できるものを示すが、他の実施の形態に係る袋体３１であってもよい。この連続シート５１には、各袋体３１毎に、等間隔で前述の開閉用のファスナが配置され、固定部１４、２４で固定されている。そして、固定部１４、２４の間に、開封部３４（未開封部３５及び開封済み部３６や、図示はしないが最弱開封部３７）が正面側シート３２に等間隔で形成されている。この連続シート５１は、通常ロール状に巻回されて保管移送され、袋体３１の完成工程にて、袋体３１と袋体３１との間の境界部分９１に、袋の天部のシールと底部のシールとが施されると共に切断され、一つずつの袋体３１が完成させられる。なお、連続した状態の連続シート５１の境界部分９１には、袋の天部のシールと底部のシールとを予め施しておかないことが一般的であるが、底部シールのみを施したり、両シールを施しておくようにしたり、種々変更して実施し得るものである。
【００６１】
（図５について）
図５は開封動作の一例を示すものである。この図５にあっては、凸部１５を設けていない場合であっても、容易に開封部３４からの開封が可能な例を示したものである。
【００６２】
図５（Ａ）は、図２に示したものと同様の状態を示すものである。この例では、開封部３４（特に開封済み部３６）の全部又は一部が、第２ファスナ半部２１の固定部２４の間近の位置（具体的には０〜４ｍｍ程度の位置）に配置されている。より望ましくは、第１ファスナ半部１１の固定部１４よりも、第２ファスナ半部２１の固定部２４に近い位置に、開封済み部３６を設けるようにする（図５（Ｄ）参照）。開封済み部３６が直線状の切り目部分で、固定部２４と平行に設けられている場合には、開封部３４（特に開封済み部３６）の全部が上記の間近の位置に設けられることになる。開封済み部３６が波打ったように形成されている場合（図５（Ｅ）参照）や、図示は省略するが傾斜して設けられている場合などには、その一部が上記の間近の位置に配置されればよい。また、図５（Ｆ）に示すように、開封済み部３６が後に詳述する開口部４１である場合には、開封済み部３６（開口部４１）の一部が、固定部２４の上端よりも下方の位置に配置される場合もあり得るが、この場合に関しても、上記０ｍｍの位置に含まれるものとする。開封済み部３６（開口部４１）の一部が、固定部２４の上端よりも下方の位置にしても、この固定部２４には第２ファスナ半部２１の基部２２が存在するため、実質的な開口の大きさは、開封済み部３６の上辺からファスナの基部２２の上端辺によって規定されることになるため、上記０ｍｍの位置に含まれるとするのが合理的である。同様に、図５（Ｇ）に示されるように、第１ファスナ半部１１の固定部１４よりも上方に開封済み部３６（開口部４１）の一部が存在する場合には、実質的な開口の上辺は、ファスナ半部１１の基部１２の下端辺によって規定されることになり、図５（Ｇ）の例では、上下両辺が、両ファスナ半部１１、２１の基部１２、２２によって規定されることになる。
また、両ファスナ半部１１、２１の固定部１４、２４同士の位置を近づけておくことも望ましく、具体的には６ｍｍ以下程度が望ましい。
【００６３】
この状態で、開封するには、まず、一方の手（例えば右手）の親指ｆ１と人指し指ｆ２とで袋体を前後からつまむ。より詳しくは、親指ｆ１で固定部１４を袋体の正面側から背面側へ押さえると共に、人指し指ｆ２を横にして袋体の背面側から、雌雄嵌合部１３、雌雄嵌合部２３の付近を袋体の正面側に押すようにしてつまむ。この状態で、人指し指ｆ２を押し出すようにして、親指ｆ１を背面側に回して、こじ開けるようにして開封部３４を開く。その際、開封部３４（特に開封済み部３６）が、基部２２の間近の位置に配置されているため、正面側シート３２が基部２２によって裏打ちされた状態で腰が強くなっているため、基部２２と正面側シート３２とが正面の方に開く。これにより開封部３４（特に開封済み部３６）の開きが大きくなり、他方の手（例えば左手）の親指ｆ３を容易に挿入することができる。従って、開封部３４の開封動作、特に、初期の開封動作を今までのファスナ付き袋体とは比較にならないほど、簡単に素早く行うことができる。
【００６４】
（図６〜図１１について）
図６〜図１１は、上述の種々の構成を整理したものであり、以下、その種類毎に順次説明する。
【００６５】
（図６について）
図６（Ａ）〜（Ｅ）は、それぞれ開封部３４を図示したものである。
【００６６】
図６（Ａ）は、開封部３４を開封済み部３６のみで構成したものである。この開封済み部３６は、全体が長い切り目によって構成されているものである。なお、便宜上、４ｃｍ以下の短い切り目を切り目部分と呼び、４ｃｍを超える長い切り目をカットラインと呼ぶ。このカットラインは、開封部３４の全長を構成してもよく、図６（Ｂ）に示すように、一部が切断されずに繋がっている部分３８となっている複数のカットラインで構成してもよい。開封済み部３６のカットラインが長くなり過ぎると、移送時などに開封済み部３６が大きく開いてしまって雌雄嵌合部が開いてしまうおそれがあるため、繋がっている部分３８を適宜間隔で設けることも好ましい。また、開封部３４は、袋体３１の左右両側に達するようにすることが好ましいが、袋体３１の中央にのみ設けるなど、その形成位置は適宜変更して実施することができる。
【００６７】
図６（Ｃ）は、前述の図３（Ｃ）と同様、開封部３４をミシン目などの未開封部３５のみで構成した例である。このミシン目は、図６（Ｄ）に示すように、平行に複数本（この例では２本）設けてもよい。また、図６（Ｅ）に示すように、平行に複数本（この例では２本）設ける際に、ミシン目を千鳥状に配置することも望ましい。
このように、開封部３４は、未開封部３５と開封済み部３６のうち、同一種類のみで全体を構成することもできるし、前述のように、未開封部３５と開封済み部３６とを組み合わせて連続して開封されるように構成することもできる。
【００６８】
（図７、図８について）
図７及び図８は、開封部３４を未開封部３５や開封済み部３６などを混在させと構成する場合のパターンを示したものである。
【００６９】
図７（Ａ）は、直線状のミシン目などの未開封部３５（又は、カットラインなどの開封済み部３６）に対して、開口部４１を連続させて設けた例を示す。これまでの説明では、開封済み部３６を切り目（切り目部分又はカットライン）のように線状の開口で構成する例を示したが、この例では、開封済み部３６として横方向（ファスナ１０の長手方向）のみならず、縦方向（ファスナ１０の幅方向）にも面状に開口している開口部４１として実施しているものである。この開口部４１は、正面側シート３２（同一面シート）を金型などで打ち抜くなどして形成されており、直線状の未開封部３５（又は開封済み部３６）に対して、上下両側に開口部４１を設けたものである。
【００７０】
図７（Ｂ）は、１本の直線状のカットラインなどの開封済み部３６に対して、上下の何れか一方に突出するように開口部４１を設けたものである。なお、直線状の開封済み部３６を２本平行して設ける場合には、上の直線状の開封済み部３６に対して上方に突出するように開口部４１を設け、下の直線状の開封済み部３６に対しては下方に突出するように開口部４１を設けることが自然であるが、いずれの方向に開口部４１を突出させてもよい。
【００７１】
図７（Ｃ）は、１本の直線状のカットラインなどの開封済み部３６に対して、上下の何れか一方に突出するように開封済み部３６（切り目部分）を湾曲させて設けた例である。この場合も、上記図７（Ｂ）と同様、上下の何れか一方に開封済み部３６（切り目部分）を設けることもできる他、直線状の開封済み部３６を２本平行して設ける場合にも適用することができる。
【００７２】
図７（Ｄ）は、１本の直線状の開封済み部３６（カットライン）に対して、上下の何れか一方に突出するように未開封部３５（ミシン目）を湾曲させて設けた例である。この場合も、上記図７（Ｂ）と同様、１本の直線状の開封済み部３６（カットライン）に対して、未開封部３５（ミシン目）を上下何れか一方に設けることもできる他、直線状の開封済み部３６（カットライン）を２本平行して設ける場合にも適用することができる。
【００７３】
次に、図８（Ａ）〜（Ｃ）も、図７（Ｂ）〜図７（Ｄ）と同様であり、１本ずつを採用することもでき、上下２本を一組にして実施することもできる。
図８（Ａ）は、半円形に打ち抜くなどした開口部４１を、未開封部３５（ミシン目）に対して連続して設けたものである。図８（Ｂ）は、半円形に湾曲した開封済み部３６（切り目）を、未開封部３５（ミシン目）に対して連続して設けたものである。図８（Ｃ）は、半円形に湾曲した未開封部３５（ミシン目）を、直線状の未開封部３５（ミシン目）に対して連続して設けたものである。この場合、湾曲した未開封部３５（ミシン目）を前述の最弱開封部３７として実施することもできる。
【００７４】
（図９〜図１１について）
直線上の未開封部３５（又は開封済み部３６）に対して、開口部４１、未開封部３５、開封済み部３６を設ける際、これらは種々の形状のものとして実施することができるものであり、その例を図９〜図１１に。図９（Ａ）は円形、図９（Ｂ）（Ｃ）は半円形、図９（Ｄ）はバツ印、図９（Ｅ）は長方形、図９（Ｆ）（Ｇ）は台形の例である。図１０（Ａ）は６角形などの多角形、図１０（Ｂ）は鼓形状、図１０（Ｃ）（Ｄ）は平行四辺形の例である。図１１（Ａ）（Ｂ）（Ｃ）はそれぞれ３角形の例であり、図１１（Ｄ）は矢印形の例である。
【００７５】
これらの種々の形状は、変形した部分が開封開始時に指先を挿入するなどの最初の開封動作を容易になすための例であり、種々変更することができる。また、開封後のつまみとなるタブとして機能させることもできる。但し、当該部分を開封済み部３６の開封済み部３６や開口部４１として実施した場合、移送時などに不用意に大きく開封してしまうおそれがあるため、図１１（Ｅ）に示すように、当該部分を隠すシール４２を同一面シート（正面側シート３２）の外側から剥離可能に貼り付けることもできる。これにより、密閉性を高めることができると共にいたずら防止の効果をも発揮することができる。このシール４２は、開封開始の位置に設ける他、開封部３４の全長に渡って設けるようにしてもよい。
【００７６】
（図１２について）
図１２は仮接合部１８を設ける位置を示すものである。
図１２（Ａ）は、図２（Ｃ）と同様、基部１２の下端に仮接合部１８が設けたものであり、開封部３４と、雌雄嵌合部１３、２３と、仮接合部１８との順で、袋体の収納部奥の方に近づくように並べられている。この例では、開封部３４を開封した後、雌雄嵌合部１３、雌雄嵌合部２３の嵌合を外すことで、仮接合部１８を袋の前後に大きく開いて引っ張ることができるため、仮接合部１８の仮接着が強い場合でも、開封が容易になるという利点がある。
【００７７】
図１２（Ｂ）は、仮接合部１８が、開封部３４と、雌雄嵌合部１３、２３との間に設けられたものである。この例では、仮接合部１８が開封部３４に近い位置に設けられているため、外部からの力が直接雌雄嵌合部１３、２３に作用しないという利点がある。
【００７８】
図１２（Ｃ）は、仮接合部１８が、雌雄嵌合部１３、雌雄嵌合部２３の上下に設けられているものである。この例では、より強固に雌雄嵌合部１３、２３を保護することができる。以上、本発明は、上記の具体例を種々組み合わせて実施することができることはもちろん、上記の具体例以外の構造（例えば、正面側シート３２と背面側シート３３とのそれぞれに嵌合するファスナを設けたものや、ファスナを設けずに袋の全周をヒートシールで閉じたものや、シート間の接合部やシート面上に吐出口を設けたものなど、種々変更して実施することができるものである。
【００７９】
（底面シート５１について）
次に本発明の最も重要なポイントである底面シート５１の接合構造について説明する。
【００８０】
底面シート５１は、上部の襠折り目線５２にて二つ折りにされることにより、前底分５３と後底分５４とに区分されている。底面シート５１は、図１３（Ｂ）に示すように、正面側シート３２及び背面側シート３３と別体のシートであっであってもよく、図１３（Ｃ）に示すように、正面側シート３２及び背面側シート３３と一体のシートを折り目線で折り曲げて形成されたものであってもよい。
【００８１】
（サイドシール６１について）
この底面シート５１は、サイドシール６１によって正面側シート３２及び背面側シート３３に接合されている。サイドシール６１は、底面シート５１の存在しない袋体の上部では正面側シート３２と背面側シート３３との２枚を接合する胴部サイドシール６２とされ、袋体の下部では、底面シート５１を他のシートと接合する底部サイドシール６３とされている。より詳しくは、底部サイドシール６３は、正面側シート３２と前底分５３とを接合し、これとは別に背面側シート３３と後底分５４とを接合する。
【００８２】
一般に、正面側シート３２、背面側シート３３及び底面シート５１は、袋体３１の表面側にＰＥＴやポリアミドなどの熱溶融温度の高いフィルムを配置し、袋体３１の内面側にＰＥやＰＰなどの熱溶融温度の低いフィルムを配置した積層体にて構成される。そして、熱溶融温度の低いフィルムを接合し、熱溶融温度の高いフィルムを接合しない温度に金型を加熱したり、或いは超音波ホーンの条件を設定したりして、サイドシール６１を形成する。これにより、胴部サイドシール６２では、正面側シート３２と背面側シート３３との内面側の２枚の熱溶融温度の低いフィルム同士が接合される。他方、底部サイドシール６３では、正面側シート３２と前底分５３との内面側の２枚の熱溶融温度の低いフィルム同士が接合され、これとは別に背面側シート３３と後底分５４との内面側の２枚の熱溶融温度の低いフィルム同士が接合されるが、前底分５３と後底分５４同士は、熱溶融温度の高いフィルムが対面するため、接合されない状態となる。なお、このような積層シートを採用しない場合では、前底分５３と後底分５４の間に耐熱板等を挟んでヒートシールすることによって、同様な接合構造を得ることもできる。
【００８３】
このように、前底分５３と後底分５４とが接合されない状態で完成品とすることもできるが、前底分５３と後底分５４との一部を接合した状態で完成品とすることも、スタンディングパウチなどの袋では広く行われている。具体的には、底面シート５１に、底部サイドシール６３の位置の少なくとも一部に、切除部を設けて底面シート５１が存在しないようにする。この切除部の位置では、底面シート５１（前底分５３及び後底分５４）が存在しないため、正面側シート３２と背面側シート３３との内面側のフィルム同士が直接対面してヒートシールによって接合された前後接合部６５が形成される。これによって、収納物を入れた状態で、袋体３１の形態が安定して底部を接地した状態で立てることが容易になる。
本発明は、前後接合部６５の有無に関わらず実施することができるものであり、以下の説明では、特記しないかぎり、いずれの形態の場合も含むものとする。
【００８４】
（ボトムシール７１について）
ボトムシール７１は、底面シート５１を所定の形態に規定するために設けられたもので、底部サイドシール６３と同様、正面側シート３２と前底分５３とを接合し、これとは別に背面側シート３３と後底分５４とを接合する。一般的には、左右方向においてサイドシール６１に近づくに従って、全体として略斜め上方に傾斜して伸びる。左右の傾斜した部分は、袋体３１の略中央で互いに直接接続されるものでもよく、略中央に設けられる水平部分を介して接続されるものであってもよい。
ボトムシール７１は、直線状に傾斜するものであってもよく、弧状に傾斜するものであってもよい。
【００８５】
（サイドライン６４とボトムライン７２について：図１４参照）
本発明においては、底面シート５１とサイドシール６１とボトムシール７１との関係が重要である。以下、サイドシール６１の内側の縁を規定する線をサイドライン６４とし、ボトムシール７１の内側の縁を規定する線をボトムライン７２として説明する。サイドライン６４は、通常は直線であるが、直線の一部に小さな凹部が設けられている場合、サイドシール６１の大部分を占める直線の延長線をサイドライン６４とする。
【００８６】
（正規縁部７４と調整縁部７５について）
本発明に係るボトムライン７２は、正規縁部７４と調整縁部７５とを備える。正規縁部７４はサイドシール６１の主たる形状を特定するもので、横方向にて、サイドシール６１から遠い領域に正規縁部７４が形成され、サイドシール６１に近い領域に調整縁部７５が形成される。言い換えると、調整縁部７５は、正規縁部７４がサイドシール６１に接続される角度を整えるものであり、正規縁部７４は調整縁部７５を介してサイドライン６４に接続される。正規縁部７４は、袋底部の形状を整える点を主眼に設定されるため、30度〜60度程度の比較的急峻な勾配を持つ場合が多い。この急峻な正規縁部７４が直接サイドライン６４と交わると、その交差点に応力が集中し易い。そのため、調整縁部７５を正規縁部７４よりも勾配の角度が小さなものとして、応力の集中を緩和するものである。この勾配の角度は種々変更して実施することができるが、襠折り目線５２を水平線として、この水平線に対する調整縁部７５の勾配の角度が±24度の範囲内とすることが好ましい。
【００８７】
（図１４の例）
図１４に示すように、調整縁部７５の勾配の角度が負の値（具体的には10度で図示している）を示す。言い換えれば、ボトムライン７２は正規縁部７４と調整縁部７５との間に頂部分７３を備え、この頂部分７３はボトムライン７２のうちで最も上方に位置する。よって、襠折り目線５２を水平線として、サイドライン６４に向かって、正規縁部７４は登り勾配となり、調整縁部７５は下り勾配となっている。
【００８８】
この例では、調整縁部７５が襠折り目線５２よりも下方の位置にあるため、襠折り目線５２を挟んで、前後にポケット部８１が形成される。より詳しくは、ポケット部８１は、正面側シート３２と底面シート５１の前底分５３との間に形成された隙間、及び、背面側シート３３と底面シート５１の後底分５４との間に形成された隙間である。そして、この前後のポケット部８１の底辺８２は調整縁部７５によって閉ざされて規定され、ポケット部８１の側辺８３はサイドライン６４により閉ざされて規定される。
【００８９】
この状態で、袋体３１内に収納物が収納された場合、図１４（Ｂ）に示すように、底面シート５１の襠折り目線５２が伸びた状態に開かれるが、その際、ボトムシール７１の大部分を占める正規縁部７４の影響を受けて、折り癖７８が付く。この折り癖７８は、正規縁部７４の延長線に沿うか、あるいは延長線と襠折り目線５２との間に付くが、折り癖７８よりも下方の部分であるポケット部８１では、底面シート５１が大きく開かれず、正面側シート３２と底面シート５１の前底分５３とが接触した状態もしくは接触に近い状態となり、同様に、背面側シート３３と底面シート５１の後底分５４とが接触した状態もしくは接触に近い状態を維持する。
【００９０】
さらに袋体３１が落下したり、袋体３１の内部の内圧が上昇したりして、底面シート５１に対して静止状態より大きな力が急激に加わると、この力はポケット部８１が少し開かれることで吸収されて緩和される。さらに、この緩和された力は、ポケット部８１内のサイドライン６４や調整縁部７５などに分散し、１点に集中することが緩和される。従って、襠折り目線５２付近の底面シート５１とサイドシール６１との接合部分からの裂け目や破れなどによる破袋の発生が抑制される。
【００９１】
（３つの点の関係）
ここで、襠折り目線５２の襠折り目線５２と、サイドシール６１と、ボトムシール７１との関係を示すために、３つの点を規定する。
【００９２】
第１に、サイドシール６１のサイドライン６４に対して、襠折り目線５２が交わる点を襠交点５５とする。
第２に、サイドシール６１のサイドライン６４に対して、正規縁部７４の延長線が交わる点を上方仮想点７６とする。
第３に、サイドシール６１のサイドライン６４に対して、調整縁部７５が交わる点を下方接続点７７とする。
【００９３】
上述のとおり、調整縁部７５が正規縁部７４よりも勾配の角度が小さなものとされる結果、上方仮想点７６は下方接続点７７よりも常に上方に位置する。
この条件下で、襠交点５５の位置を検討すると、図１５の（Ａ）〜（Ｅ）に示す５つの態様に大別し得る。
【００９４】
（Ａ）は、襠交点５５が、上方仮想点７６及び下方接続点７７よりも下方に位置する態様である。
（Ｂ）は、襠交点５５が、下方接続点７７と同じ位置にある態様である。
（Ｃ）は、襠交点５５が、上方仮想点７６と下方接続点７７との間に位置する態様である。
（Ｅ）は、襠交点５５が、上方仮想点７６と同じ位置にある態様である。
（Ｆ）は、襠交点５５が、上方仮想点７６及び下方接続点７７よりも上方に位置する態様である。
【００９５】
なお、前述のように、襠折り目線５２に対する調整縁部７５の勾配の角度は例えば±24度の範囲内とすることが好ましいため、図１４の例では、勾配が０度（襠交点５５と調整縁部７５とが平行）の場合を示したが、正負何れかの勾配となった場合でも同様に考えることができる。
【００９６】
本発明者は、多くの試行錯誤と推論の結果、次の結論に到達した。
（Ａ）では、ポケット部８１が形成されず、底面シート５１の襠折り目線５２とボトムライン７２との交点に力が集中するため、破袋が生じやすい。
（Ｂ）では、ポケット部８１が形成されず、底面シート５１の襠折り目線５２と下方接続点７７とが一致しており、この点に力が集中するため、破袋が生じやすい。
（Ｃ）では、ポケット部８１が形成されるため、破袋を抑制することができる。
（Ｅ）では、ポケット部８１が形成されるため、破袋を抑制することができる。
（Ｆ）では、ポケット部８１が形成されるが、ポケット部８１よりも、襠交点５５が上方に位置するため、この襠交点５５に力が集中する結果、破袋が生じやすい。
【００９７】
また、ポケット部８１の底辺は、その全体が、必ずしも調整縁部７５のシールによって閉じられている必要はなく、調整縁部７５の一部又は前部が存在しなかったりしても、破袋を抑制する効果を得ることが確認された。これは、ポケット部８１（正面側シート３２と底面シート５１の前底分５３との間に形成された隙間、及び、背面側シート３３と底面シート５１の後底分５４との間に形成された隙間）が、前述のように、開きにくく、大きな力が加わっても、ポケット部８１が開くことでその力が緩和され、さらに緩和された力が襠折り目線５２とサイドライン６４との交点と、下方接続点７７との交点との間の領域におけるサイドシール６１に力が分散することによると発明者は考えている。従って、図１６や図１７に示す形態にあっても、破袋を抑制する効果を得ることができる。但し、図１７（Ａ）のように、鋭角のシール部分を形成することは好ましくなく、１７（Ｂ）のように、アールにするなどの処理を施しておくことが好ましい。また、シールを底端に至るまで施していない図１６（Ｂ）図１７（Ａ）（Ｂ）の場合には、袋に穴が開いた状態となるが、この穴よりも大きな粒体を収納する用途などには、空気抜き孔として利用することも可能であり、図１６（Ａ）のように穴を適宜位置で塞ぐようにシールしてもよい。
【００９８】
（調整縁部７５の勾配について）
調整縁部７５の勾配は、襠折り目線５２を水平線として、サイドライン６４に近づくに従って登り勾配（勾配の角度が正）となる場合と、水平（勾配の角度０度）となる場合と、下り勾配（勾配の角度が負）となる場合とを想定し得る。この何れの態様にあっても、上述の３点の関係に従って力が分散し得るものではある。ところが、底面シート５１の正面側シート３２及び背面側シート３３に対する上下の位置関係は、その製法の如何に関わらず、安定しない場合が多い。他方、各シールを行うための融着用の金型は一定の形状に作成されていたり、微調整が可能であってもこれを変更するには一々製造ラインを止める必要がある。
【００９９】
そのため、設計値と実際の製品との間には若干のズレが生じたり、製品間においてもシートの蛇行などによってズレが発生したりする。
この点を考慮すると、上方仮想点７６と下方接続点７７との間の間隔は大きい方が好ましいが、この間隔を大きくするために、極端に正規縁部７４の角度を急峻にしたり、調整縁部７５の長さを長くすることは、底面シート５１の開き具合に悪影響を及ぼすなどの弊害が生じる。
【０１００】
そこで、上方仮想点７６と下方接続点７７との間の間隔を大きくするには、調整縁部７５の勾配をサイドライン６４に近づくに従って下り勾配（負の勾配角度）とすることが最も望ましく、次いで水平（勾配の角度０度）とすることが望ましい。但し、正規縁部７４と調整縁部７５とをスムーズに連続させておくことも力の分散の観点からは好ましく、正規縁部７４と調整縁部７５との接続部分にアールを設けることも望ましく、また登り勾配（正の勾配角度）として実施することも可能である。
【０１０１】
（前後接合部６５について）
先に述べたとおり、一般のスタンディングパウチなどの立ちやすさを実現するために、前後接合部６５を形成して実施される場合が多い。この目的による前後接合部６５は、袋の底端付近に設けられるのが一般的であるが、本発明者は、この前後接合部６５を開き止めのために用いるのではなく、前後接合部６５の形成位置によって、破袋防止効果を向上させ得ることも知見した。具体的には、底部サイドシール６３に設けられる前後接合部６５の少なくとも一部を、ポケット部８１と同じ高さにする。この前後接合部６５は、底面シート５１の上部付近に設けられることになり、袋の底端から比較的遠い位置にあるため、スタンディングパウチなどの立ちやすさを実現するためには大きな役割を果たすものではないが、ポケット部８１の形態を安定させるのに効果があり、その結果、破袋防止効果が向上すると考えられる。
【実施例】
【０１０２】
以下、本発明の理解を高めるために、２種の実施例を３種の比較例と共に示すが、本発明はこれらの実施例に限定して理解されるべきではない。
【０１０３】
（袋体の基本形態）
袋体の基本形態は、全体が正面視で縦×横＝29ｃｍ×22ｃｍの長方形状をなし、底部に底面シート（縦×横＝10ｃｍ×22ｃｍ）を二つ折りにして配置し、天部から4ｃｍの位置に開閉用のファスナを設けた袋体である。
【０１０４】
正面側シート、背面側シート及び底面シートには、ＰＥＴフィルム（12μｍ厚）とＬＬＤＰＥフィルム（70μｍ厚）とのラミネートシートに採用し、ＰＥＴフィルムを袋体の表面側に配置して袋体を形成した。サイドシール６１は、左右の幅を7ｍｍとした。
【０１０５】
（実施例１：図１８（Ａ）参照）
実施例１は、ボトムシール７１を先に説明した図１５（Ｃ）と同じ形態としたものであり、襠折り目線５２を水平線としてこれに対する正規縁部７４の傾斜角度を45度、調整縁部７５の傾斜角度を０度（水平）とし、正規縁部７４と調整縁部７５との交点にはわずかなアールを付けたものである。サイドライン６４における襠折り目線５２の位置よりも4ｍｍ下方の位置に、調整縁部７５の下方接続点７７が位置するようにした。前後接合部６５は、常法に従い袋体の底部付近に4ｍｍ幅で設けると共に、その上方に、ポケット部８１と同じ上下位置にも同幅で設けた。
【０１０６】
（実施例２：図１８（Ｂ）参照）
実施例１と同じ形態であるが、前後接合部６５は常法に従い袋体の底部付近に設けるに止まり、その上方のポケット部８１と同じ上下位置には設けなかった。
【０１０７】
（比較例１：図１８（Ｃ）参照）
比較例１は、最も一般的なスタンディングパウチに採用されるボトムシール７１と略同じもので、襠折り目線５２を水平線としてこれに対する傾斜角度を45度とした正規縁部７４のみを設けた。正規縁部７４は襠折り目線５２とサイドライン６４との交点に交わるものとした。前後接合部６５は常法に従い袋体の底部付近にのみ設けた。
【０１０８】
（比較例２：図１８（Ｄ）参照）
比較例２は、先に提示した特許文献１と同じもので、サイドライン６４よりも外側に凹んだ半径3ｍｍの略半円形をなす凹部１０１を形成したものである。襠折り目線５２を水平線としてこれに対する傾斜角度を45度とした正規縁部７４を形成し、その先端が凹部１０１内に到達してサイドシール６１に接続されたものとした。前後接合部６５は常法に従い袋体の底部付近にのみ設けた。
【０１０９】
（比較例３：図１８（Ｅ）参照）
比較例３は、ボトムシール７１を先に説明した図１５（Ｂ）と同じ形態としたものであり、襠折り目線５２を水平線としてこれに対する正規縁部７４の傾斜角度を45度、調整縁部７５の傾斜角度を０度（水平）とし、正規縁部７４と調整縁部７５との交点にはわずかなアールを付けたものである。サイドライン６４における襠折り目線５２の位置と同じ位置に、調整縁部７５の下方接続点７７が位置するようにした。前後接合部６５は常法に従い袋体の底部付近にのみ設けた。
【０１１０】
（落袋テスト）
各実施例及び比較例の袋をそれぞれ４袋用意し、それぞれの内部に米粒2.0Ｋｇを収納してファスナを閉じた状態で、底面を下側にして、1.7ｍの高さからコンクリート床に自然落下させた。
【０１１１】
各袋について、落下テストを繰り返し行い、破袋が目視により確認されるまで落下テストを続けた。表１にその結果を示す。
【０１１２】
【表１】
2015096436.tif 000003
【０１１３】
表１では、各実施例及び比較例について、破袋が目視により確認されなかった落下回数の平均値、破袋が目視により確認されなかった落下回数の最大値、破袋が目視により確認されなかった落下回数の最小値を示した。但し、落下回数は12回を最大とし、それ以上の落下テストを行わなかった。そのため、12回落下させても破袋が目視により確認されなかったものを含む実施例１及び２にあっては、平均値及び最大値を「以上」として表示した。
実施例１及び２は、比較例１〜３に比して優秀な耐破袋性能が確認され、実施例１と２との比較では、実施例１と２とでは、前後接合部６５をポケット部８１と同じ上下位置にも設ける方が、より有利な結果を得ることが確認された。比較例２では、ボトムシール７１からの破袋ではなく、凹部１０１の上角１０２からの破袋が生じていることが確認された。
【符号の説明】
【０１１４】
１０  ファスナ
１１  第１ファスナ半部
２１  第２ファスナ半部
１３、２３  雌雄嵌合部
３１  袋体
３２  正面側シート
３３  背面側シート
３４  開封部
３５  未開封部
３６  開封済み部
３７  最弱開封部
５１  底面シート
５２  襠折り目線
５３  前底分
５４  後底分
５５  襠交点
６１  サイドシール
６２  胴部サイドシール
６３  底部サイドシール
６４  サイドライン
６５  前後接合部
６６  切除部
７１  ボトムシール
７２  ボトムライン
７３  頂部分
７４  正規縁部
７５  調整縁部
７６  上方仮想点
７７  下方接続点
８１  ポケット部
８２  底辺
８３  側辺
【図１】
2015096436.tif 000004
【図２】
2015096436.tif 000005
【図３】
2015096436.tif 000006
【図４】
2015096436.tif 000007
【図５】
2015096436.tif 000008
【図６】
2015096436.tif 000009
【図７】
2015096436.tif 000010
【図８】
2015096436.tif 000011
【図９】
2015096436.tif 000012
【図１０】
2015096436.tif 000013
【図１１】
2015096436.tif 000014
【図１２】
2015096436.tif 000015
【図１３】
2015096436.tif 000016
【図１４】
2015096436.tif 000017
【図１５】
2015096436.tif 000018
【図１６】
2015096436.tif 000019
【図１７】
2015096436.tif 000020
【図１８】
2015096436.tif 000021